(57)【特許請求の範囲】
【請求項１】
航空機（１０）の内部客室（３０）の後方セクション（４４）内の後方休憩エリアアセンブリ（５６）であって、当該後方休憩エリアアセンブリ（５６）は、
少なくとも１つの化粧室（５８）、（６０）を含む化粧室セクションと、前記内部客室（３０）の一又は複数の出口経路（６８）の未使用部へ突出して延在する出口導流部（２２０）とを備え、前記一又は複数の出口経路（６８）は、少なくとも１つの非常口ドア（７０）、（７２）につながっており、
前記化粧室セクションは、一又は複数の化粧室モジュールを受容及び保持するように構成された一又は複数の化粧室受容部を備え、前記一又は複数の化粧室モジュールは、前記一又は複数の化粧室受容部に挿入及び固定されるように構成されている、後方休憩エリアアセンブリ（５６）。
【請求項２】
前記内部客室（３０）内で前記後方休憩エリアアセンブリ（５６）を座席エリアから分離する前壁（２３０）を更に備え、前記出口導流部（２２０）が、中央先端部においてつながっている第１と第２の前方壁を備え、前記第１と第２の前方壁がそれぞれ、前記中央先端部から前記前壁（２３０）に対して後方へ引っ込んでいる、請求項１に記載の後方休憩エリアアセンブリ（５６）。
【請求項３】
前記化粧室セクションの第１のアウトボード側に位置決めされた第１のギャレーステーションと、
前記化粧室（５８）、（６０）の第２のアウトボード側に位置決めされた第２のギャレーステーションとを更に備え、前記第１のアウトボード側は、前記第２のアウトボード側の反対にあり、前記第１のギャレーステーションは、前記化粧室セクションによって前記第２のギャレーステーションから分離されている、請求項１に記載の後方休憩エリアアセンブリ（５６）。
【請求項４】
前記第１のギャレーステーションは、第１の移動式カートを取り外し可能に保持するように構成された第１のカート収納棚を備え、前記第２のギャレーステーションは、第２の移動式カートを取り外し可能に保持するように構成された第２のカート収納棚を備える、請求項３に記載の後方休憩エリアアセンブリ（５６）。
【請求項５】
第１と第２の乗務員休憩エリアを更に備え、前記第１の乗務員休憩エリアは前記第１のギャレーステーションに近接し、前記第２の乗務員休憩エリアは、前記第２のギャレーステーションに近接する、請求項３に記載の後方休憩エリアアセンブリ（５６）。
【請求項６】
前記乗務員休憩エリアはそれぞれ、可動カーテンと、少なくとも１つの乗務員席を備え、前記少なくとも１つの乗務員席は、前記化粧室セクションのどの部分にもぶつからない、請求項５に記載の後方休憩エリアアセンブリ（５６）。
【請求項７】
前記化粧室セクションは、分割壁によって分離されている第１と第２の化粧室を含む、請求項１に記載の後方休憩エリアアセンブリ（５６）。
【請求項８】
前記分割壁は、少なくとも１つの可動部を含み、前記少なくとも１つの可動部は、前記分割壁によって前記第１と第２の化粧室が分離されている第１の位置と、前記第１と第２の化粧室が結合されて、拡張した単一の化粧室（５８）、（６０）を形成する第２の位置との間で移動可能である、請求項７に記載の後方休憩エリアアセンブリ（５６）。
【請求項９】
前記第１と第２の化粧室はそれぞれ、前方及び後方エリアを備え、前記前方エリアはそれぞれ、前記後方エリアよりも広い、請求項７に記載の後方休憩エリアアセンブリ（５６）。
【請求項１０】
前記分割壁は、前記内部客室（３０）の中央縦断面を中心として配置されている、請求項７に記載の後方休憩エリアアセンブリ（５６）。
【発明の詳細な説明】
【技術分野】
【０００１】
本発明の実施形態は概して、航空機の客室内の後方休憩エリアアセンブリに関する。
【背景技術】
【０００２】
民間航空機は通常、多数の部分に分割することができる内部客室を含む。操縦席は一般に、ファーストクラスセクション、ビジネスクラスセクション、及びエコノミークラスセクションを含みうる客室（又はメインキャビン）から分離されている。客室はまた、例えば、食料、飲料、及び廃棄物貯蔵構造を含みうるギャレー等の、航空機乗務員のための一又は複数の作業エリアも含みうる。一又は複数の通路は、客室を通って、各客室セクションを航空機の一又は複数のドアへの一又は複数の経路につながっている。
【０００３】
航空機は通常、客室内に一又は複数の化粧室も含む。多くの場合、少なくとも１つの化粧室は、一般に客室の裏側にありうる、航空機の後ろ、又は後方部にある。ある航空機には、後方セクションで比較的大きなエリアを占める化粧室が含まれる。多くの場合、ギャレーは後方化粧室に近接して位置決めされる。しかしながら、航空会社業界において食事の準備には重点が置かれていないため、ギャレーが活用されず、一般に必要以上のスペースを占めていることが多い。
【０００４】
特定の既知の航空機では、ギャレーは複数の客室乗務員が使用するように構成される。しかしながら、１つのギャレーエリアを使用している複数の客室乗務員は、そのスペースが窮屈で制限されていると感じる。このため、客室乗務員は、自分の仕事をこなそうとする時に、互いにぶつかり合ってしまう。
【０００５】
更に、特定の既知の航空機では、乗務員席は、後方セクションの一又は複数の化粧室に近接して位置決めされる。一般に、客室乗務員は、乗客が隣の化粧室を使用している時には、乗務員席に座ることができない。手短に言えば、客室乗務員が乗務員席に座っていると、化粧室と乗務員席との間に、化粧室のドアを開ける、あるいは乗客が化粧室に入る又は化粧室を出ることができるほど十分な隙間がない。従って、支持されている位置に位置決めされた時に、乗務員席とその席に座った乗務員は、化粧室のドアにぶつかりうる。
【０００６】
一般に、航空機内の様々な既知の後方セクションは、使用に対して非効率に構成されている。化粧室及びギャレーが後方セクション内にあると、乗客と乗務員の動き及び／又は流れが非効率的になりうる、又はぎこちないものになりうる。更に、航空機の客室内の様々な既知の後方セクションの構成では、乗客及び／又は乗務員でしばしば混雑し、人が航空機の後部で又はその周囲でウロウロすることにつながりうる。
【発明の概要】
【０００７】
本発明の特定の実施形態では、航空機の内部客室の後方セクション内に後方休憩エリアアセンブリを提供する。後方休憩エリアアセンブリには、少なくとも１つの化粧室を含む化粧室セクションと、化粧室セクションの第１のアウトボード側に位置決めされた第１のギャレーステーションと、化粧室の第２のアウトボード側に位置決めされた第２のギャレーステーションとが含まれうる。第１のアウトボード側は、第２のアウトボード側の反対にある。ギャレーステーションは、内部客室に対して中央に配置されうる化粧室セクションによって第２のギャレーステーションから分離されている。
【０００８】
化粧室セクションには、内部客室の一又は複数の出口経路の一部であってよい、出口通路の未使用部分へ突出して延在する出口導流部が含まれうる。出口経路（複数可）は、少なくとも１つの非常口ドアにつながっている。少なくとも１つの実施形態では、前壁により、内部客室内で後方休憩エリアアセンブリが座席エリアから分離される。出口導流部には、中央先端部においてつながっている第１と第２の前方壁が含まれうる。第１と第２の前方壁はそれぞれ、前壁に対して中央先端部から後方へ引っ込んでいてよい。
【０００９】
少なくとも１つの実施形態では、化粧室セクションは、分割壁によって分離された第１と第２の化粧室を含み、分割壁は内部客室に対して中央に配置されうる。分割壁には、少なくとも１つの可動部が含まれうる。可動部（複数可）は、第１と第２の化粧室が分割壁によって分離される第１の位置と、第１と第２の化粧室が結合されて、拡張された単一の化粧室を形成する第２の位置との間で移動可能である。
【００１０】
第１及び第２の化粧室はそれぞれ、前方エリア及び後方エリアを含みうる。各前方エリアは、後方エリアよりも広くてよい。
【００１１】
分割壁は、内部客室の中央縦面を中心として配置されうる。分割壁は、内部客室の通路に対して中央に配置されうる。分割壁により、後方休憩エリアアセンブリを第１と第２の半分に分割することができ、第１の半分は第２の半分の鏡像である。後方休憩エリアアセンブリは、内部客室の中央縦面に対して対称であってよい。
【００１２】
第１のギャレーステーションには、第１の移動式カートを取り外し可能に保持するように構成された第１のカート収納棚が含まれうる。第２のギャレーステーションには、第２の移動式カートを取り外し可能に保持するように構成された第２のカート収納棚が含まれうる。化粧室セクションには、少なくとも１つの荷物保管エリアが含まれうる。
【００１３】
後方休憩エリアアセンブリにはまた、第１及び第２の乗務員休憩エリアも含まれうる。第１の乗務員休憩エリアは、第１のギャレーステーションに近接しうる。第２の乗務員休憩エリアは、第２のギャレーステーションに近接しうる。各乗務員休憩エリアには、可動カーテンと、少なくとも１つの乗務員席が含まれうる。人が乗務員席（複数可）に座っている時でも、乗務員席（複数可）が化粧室セクションの部分にぶつかることはない。
【００１４】
少なくとも１つの実施形態では、化粧室セクションは、一又は複数の化粧室モジュールを受け入れ保持するように構成された一又は複数の化粧室受容部を含む。このため、幅広い種類の化粧室モジュールを、各化粧室受容部内に交互に固定することができる。
【００１５】
本発明の特定の実施形態では、航空機の内部客室の後方セクション内の後方休憩エリアアセンブリが提供される。後方休憩エリアアセンブリは、少なくとも１つの化粧室を含む化粧室セクションを含みうる。化粧室セクションはまた、出口通路の未使用部分へ突出して延在する出口導流部も含むことができ、出口通路は、内部客室の一又は複数の出口経路（例えば、２つのスウェプト（ｓｗｅｐｔ）出口経路の間のエリア）の一部であってよい。出口経路は、少なくとも１つの非常口ドアにつながっている。
【００１６】
本発明の特定の実施形態では、操縦席を含む内部客室と、複数の乗客席と少なくとも１つの乗務員ワークステーションとを有するメインキャビンと、メインキャビンの後ろの後方セクションとを含みうる航空機が提供される。後方セクションは、少なくとも１つの非常口ドアへつながる出口経路（複数可）を含む。航空機はまた後方セクション内に、後方休憩エリアアセンブリも含みうる。
【図面の簡単な説明】
【００１７】
【図１】本発明の一実施形態による、航空機の上面斜視図である。
【図２Ａ】本発明の一実施形態による、航空機の内部客室の上面図である。
【図２Ｂ】本発明の一実施形態による、航空機の内部客室の上面図である。
【図３】本発明の一実施形態による、航空機の内部客室内の後方休憩エリアアセンブリの前面図である。
【図４】本発明の一実施形態による、航空機の内部客室の後方セクション内の後方休憩エリアアセンブリの上から見た内部図である。
【図５】本発明の一実施形態による、後方休憩エリアアセンブリの前面斜視図である。
【図６】本発明の一実施形態による、後方休憩エリアアセンブリの化粧室セクションの上から見た簡単な内部図である。
【図７】本発明の一実施形態による、後方休憩エリアアセンブリの化粧室セクションの分割壁の上からみた簡単な内部図である。
【図８】本発明の一実施形態による、航空機の内部客室の後方セクション内の後方休憩エリアアセンブリを上から見た内部図である。
【図９】本発明の一実施形態による、航空機の内部客室の後方セクション内の後方休憩エリアアセンブリを上から見た内部図である。
【図１０】本発明の一実施形態による、航空機の内部客室の後方セクション内の後方休憩エリアアセンブリを上から見た内部図である。
【図１１】本発明の一実施形態による、航空機の内部客室の後方セクション内の後方休憩エリアアセンブリを上から見た内部図である。
【発明を実施するための形態】
【００１８】
上記の概要、及び特定の実施形態の以下の詳細な説明は、添付の図面を参照して読むことにより、より深く理解される。本書において、単数で記載され、「一」又は「一つの」という言葉に後続する要素又はステップは、明示的に記述されない限り、前記要素又はステップの複数形を除外するものではないことを理解すべきである。更に、「一実施形態」への言及は、やはり記載されている特性を組み込む追加の実施形態の存在を除外すると解釈されるべきではない。また、反対に明示的に記述されない限り、特定の性質を有する一又は複数の要素を「備える」「含む」又は「有する」実施形態は、その性質を有しない追加の要素を含み得る。
【００１９】
本発明の実施形態により、航空機の内部客室内に位置決めされた後方休憩エリアアセンブリが提供される。少なくとも１つの実施形態において、後方休憩エリアアセンブリは、化粧室セクションから前方に突出した出口導流部と、分離され且つ区別されたギャレーステーションとを有する化粧室セクションを含む。出口導流部には、前方端部と後方端部が含まれうる。出口導流部の設置面積の形状は、例えば三角形、ピーク形状、又は前方が湾曲した形であってよい。出口導流部には、化粧室への少なくとも１つのドアが含まれうる。出口導流部は、航空機の通路に対して横方向に位置調整されうる。
【００２０】
本発明の実施形態により、例えば航空機のメインキャビンエリアから化粧室を除去する等によって、客室の柔軟性を上げることによって、更に収益を創出する乗客席のための客室空間を作り出す（例えば空ける）後方休憩エリアアセンブリが提供される。後方休憩エリアアセンブリにより、ギャレーの設置面積が削減され、これにより、ギャレー空間の未活用部分が縮小される。
【００２１】
少なくとも１つの実施形態では、後方休憩エリアアセンブリは、可動性が低下した人（例えば、他の人の助けが必要な、あるいは歩行器、車いす等を使用する身体障害者、肥満体の人、老人等）に対応するように構成することができる。例えば、後方休憩エリアアセンブリは、複数の化粧室を、可動性が低下した人に居心地よく対応することができる拡張された単一の化粧室に転換させるように構成されうる。
【００２２】
少なくとも１つの実施形態では、後方休憩エリアアセンブリにより、一又は複数の化粧室への通路へ向かうまっすぐな直接経路が提供されるため、乗客の順番待ち、又は待ち行列が減り、乗客の通行渋滞が全体的に軽減される。更に、後方休憩エリアアセンブリにより、一又は複数の化粧室が使用されているのと同時に乗務員席を利用することが可能になる。
【００２３】
本発明の実施形態により、航空機内の貴重な床面積を効率的に利用する後方休憩エリアアセンブリが提供される。例えば、後方休憩エリアアセンブリには、（内部客室の中央縦断面に対して垂直な、外側の直線境界壁と比べて）、客室へ突出して延在している２つの化粧室が含まれうる。化粧室の出口導流部は、出口経路の未使用部分、例えば非常口ドアにつながっている一又は複数の出口経路の未使用通路（例えば２つのスウェプト出口経路間のエリア）へ延在し、非常時にそこから乗客が非常口ドアへ自然に導かれうる。特に、出口導流部は、出口経路のいかなる部分も妨げない。代わりに、出口導流部は突出して延在することにより、各非常口へ向かって延在する（例えば道路の分岐と同様の）２つのスウェプト出口経路間の自然なＶ字形状エリアが活用される。
【００２４】
少なくとも１つの実施形態では、後方休憩エリアアセンブリは、中央化粧室セクションのアウトボード側の両方に２つのギャレーステーションを含む。このため、単一の窮屈なギャレーワークステーションの代わりに（乗務員が隣り合って仕事する単一の窮屈なワークステーションの代わりに）、２人の客室乗務員によって、２つの分離し区別されたギャレーステーションが使用されうる。更に、ギャレーステーションには、２人以上の客室乗務員のための、２つの分離し区別された乗務員休憩エリアが含まれうる。例えば、各ギャレーステーションには、それ自体の乗務員休憩エリアが含まれうる。乗務員休憩エリアは、隣接する１つの化粧室、又は複数の化粧室が使用中でも使用可能である。
【００２５】
図１に、本発明の一実施形態による、航空機１０（又は航空機アセンブリ）の概略上面図を示す。航空機１０には、例えば２つのターボファンエンジン１４を含みうる推進システム１２が含まれうる。オプションとして、推進システム１２には、図示したものよりも更に多くのエンジン１４が含まれうる。エンジン１４は、航空機１０の翼１６によって担持される。他の実施形態では、エンジン１４は、胴体１８及び／又は尾部２０によって担持されうる。尾部２０は、水平尾翼２２と、垂直尾翼２４も支持し得る。
【００２６】
航空機１０の胴体１８は内部客室を画定し、内部客室には、操縦席、一又は複数のワークステーション（例えば、ギャレー、手荷物エリア等）、一又は複数の乗客セクション（例えば、ファーストクラス、ビジネスクラス、及びエコノミーセクション）、及び後方休憩エリアアセンブリが位置決めされうる後方セクションが含まれうる。各セクションは、客室遷移エリアによって分離することができ、客室遷移エリアには、通路内で選択的に開閉することができる可動カーテンを有するカーテンアセンブリが含まれうる。
【００２７】
図２Ａに、本発明の一実施形態による、航空機の内部客室３０の上から見た平面図を示す。内部客室３０は、航空機の胴体３２内であってよい。例えば、一又は複数の胴体壁により、内部客室３０が画定されうる。内部客室３０には、前部セクション３３、ファーストクラスセクション３４、ビジネスクラスセクション３６、前部ギャレーステーション３８、拡張されたエコノミー（ｅｃｏｎｏｍｙ又はｃｏａｃｈ）クラスセクション４０、標準のエコノミーセクション４２、複数の化粧室とギャレーステーションとを含みうる後方セクション４４を含む複数のセクションが含まれる。内部客室３０は、図示したものよりも多い、又は少ないセクションを含みうると理解すべきである。例えば、内部客室３０には、ファーストクラスセクションが含まれなくてもよく、図示したものよりも更に多くの、又は少ないギャレーステーションが含まれうる。各セクションは客室遷移エリア４６によって分離することができ、客室遷移エリア４６は、通路４８内の構造フィーチャ（例えばモニュメント（ｍｏｎｕｍｅｎｔｓ）、収納棚等）間にカーテンアセンブリが含みうる。
【００２８】
図２Ａに示すように、内部客室３０は、後方セクション４４につながっている２つの通路５０及び５２を含む。オプションとして、内部客室３０は、図示したものよりも少ない又は多い通路を有しうる。例えば、内部客室３０には、後方セクション４４につながっている内部客室３０の中央を通って延在する単一の通路が含まれうる。
【００２９】
後方セクション４４は、客室３０内の最後の座席列５３の裏側又は後方セクションに位置決めされる。一般に、後方セクション４４は、乗客席エリアを含むメインキャビンの裏側である。壁又は区切り５５により、客室３０の主要部分を後方セクション４４から分離させることができる。
【００３０】
後方セクション４４には、後方休憩エリアアセンブリ５６が含まれうる。後方休憩エリアアセンブリ５６には、２つの隣接した化粧室５８と６０を有する化粧室セクションが含まれうる。第１のギャレーステーション６２は化粧室５８のアウトボード側であるが、第２のギャレーステーション６４は化粧室６０のアウトボード側である。ギャレーステーション６２及び６４は、これらが（注記したように、化粧室５８と６０とを含みうる）化粧室セクションと比べて、メインキャビンの中央から更に離れるように胴体壁（複数可）に向かって位置決めされていることから、化粧室セクションに対して「アウトボード側」である。
【００３１】
後方休憩エリアアセンブリ５６は、客室３０の中央縦断面６６に対して対称でありうる。中央縦断面６６は、客室３０を２つの等しい面積と容積の半分に分ける。隣接する化粧室５８と６０間の分割壁６７は、中央縦断面６６の同一平面上にありうる（又は同一平面の中央部分を有する）。このように、後方休憩エリアアセンブリ５６を、互いに鏡像であってよい２つの等しい半分に分割することができる。
【００３２】
後方休憩エリアアセンブリ５６はまた、胴体３２の対向する側の非常口ドア７０と７２につながる一又は複数の出口経路６８も含みうる。出口経路（複数可）６８は、通路５０及び５２に対して垂直であってよい。
【００３３】
図２Ｂに、本発明の一実施形態による、航空機の内部客室８０の上部平面図を示す。内部客室８０は、航空機．の胴体８１内にありうる。例えば、一又は複数の胴体壁は内部客室８０を画定しうる。内部客室８０は、乗客席８３を有するメインキャビン８２と、メインキャビン８２の後ろの後方セクション８５を含む、複数のセクションを含む。内部客室８０には、図示したものよりも更に多くの、又は少ないセクションが含まれうることを理解すべきである。
【００３４】
内部客室８０には、後方セクション８５につながる単一の通路８４が含まれうる。単一の通路８４は、後方セクション８５につながる内部客室８０の中央を通って延在しうる。例えば、単一の通路８４は、内部客室８０の中央縦断面８６の同軸上に位置調整されうる。
【００３５】
後方セクション８５には、後方休憩エリアアセンブリ８７が含まれうる。後方休憩エリアアセンブリ８７には、２つの隣接化粧室８８及び８９を有する化粧室セクションが含まれうる。第１のギャレーステーション９０は化粧室８８のアウトボード側であり、第２のギャレーステーション９１は化粧室８９のアウトボード側である。
【００３６】
後方休憩エリアアセンブリ８７は、客室８０の中央縦断面８６に対して対称でありうる。中央縦断面８６は、客室８０を２つの等しい面積と容積の半分に分ける。隣接する化粧室８８と８９間の分割壁９２は、中央縦断面８６の同一平面上にありうる（又は同一平面の中央部分を有する）。このように、後方休憩エリアアセンブリ８７を、互いに鏡像でありうる２つの等しい半分に分割することができる。
【００３７】
後方休憩エリアアセンブリ８７にはまた、胴体８１の両側の非常口ドア９４と９５につながっている一又は複数の出口経路９３も含まれうる。出口経路（複数可）９３は、通路８４に対して垂直であってよい。
【００３８】
図３に、本発明の一実施形態による、航空機の内部客室１０２内の後方休憩エリアアセンブリ１００の前面図を示す。後方休憩エリアアセンブリ１００は、航空機の後方セクション内、例えば図２Ａ及び２Ｂに示す後方セクション内に位置決めされる。
【００３９】
後方休憩エリアアセンブリ１００は、化粧室セクション１０４、化粧室セクション１０４の一方の側のギャレーステーション１０６、化粧室セクション１０４の反対側のギャレーステーション１０８を含む。図示したように、ギャレーステーション１０６は、内部客室１０２の一方の側に向かって化粧室セクション１０４からアウトボード側にあり、ギャレーステーション１０８は、内部客室１０２の反対側に向かって化粧室セクション１０４からアウトボード側にある。ギャレーステーション１０６及び１０８は、内部客室１０２を画定する胴体壁１１０により近い、及び／又は直接つながっているために、化粧室セクション１０４のアウトボード側である。このように、後方休憩エリアアセンブリ１００は、互いに直接つながっていない、分離し区別された２つのギャレーステーション１０６及び１０８を含む。例えば、ギャレーステーション１０６及び１０８は互いに当接せず、その代わり、化粧室セクション１０４によって分離されている。
【００４０】
各ギャレーステーション１０６及び１０８には、移動式カート１１４を保持するように構成されたカート収納棚１１２が含まれうる。移動式カート１１４は、例えば、ソフトドリンク、アルコール飲料、食事、スナック、捨てるごみ等の様々な飲食物を運ぶように構成される。各移動式カート１１４を、それぞれのカート収納棚１１２から出し入れすることができる。ギャレーステーション１０６及び１０８には、例えば温飲料ステーション１１６、ゴミ箱１１８、加温ステーション１２０（例えばオーブン）等の他の様々な構成要素も含みうる。ギャレーステーション１０６及び１０８には、図示したものよりも更に多くの又は少ない構成要素及びセクションを含むことができ、図示したものとは異なる構成で配置することが可能である。
【００４１】
化粧室セクション１０４には、分割壁１３４によって分離された第１と第２の化粧室１３０と１３２が含まれうる。分割壁１３４は、客室１０２の中央縦断面１３６と同一平面上にありうる、（又はそうでなければ、客室１０２の中央縦断面１３６と同一平面上の中央部分を有する）。図３に示すように、後方休憩エリアアセンブリ１００は、中央縦断面１３６に対して対称でありうる。このように、後方休憩エリアアセンブリ１００には、互いの鏡像である第１及び第２の半分１３８及び１４０が含まれうる。「鏡像」は、各化粧室１３０と１３２、及び各ギャレーステーション１０６及び１０８が客室１０２内で占める空間を指すものであることを理解すべきである。例えば、コーヒーポットを１つのギャレーステーション１０６又は１０８から取り除き、もう一つからは取り除かなかった場合にも、第１及び第２の半分１３８及び１４０はやはり互いの鏡像である。
【００４２】
各化粧室１３０及び１３２は、ドア１４２及び１４４をそれぞれ含む。ドア１４２及び１４４は、それぞれ壁１５０及び１５２に接続されたアウトボードヒンジ１４６及び１４８をそれぞれ含み、これにより、ドア１４２及び１４４が分割壁１３４から離れるように回転して開くことが可能になる。こうすれば、ドア１４２及び１４４は互いにぶつかり合うことがない。
【００４３】
図４に、本発明の一実施形態による、航空機の内部客室２０４の後方セクション２０２内の後方休憩エリアアセンブリ２００の上から見た内部図を示す。後方休憩エリアアセンブリ２００は、上述したように、化粧室セクション２０６と、アウトボードギャレーステーション２０８及び２１０を含む。化粧室セクション２０６は、分割壁２１６によって分離された隣接する化粧室２１２及び２１４を含む。分割壁２１６は、客室２０４の中央縦断面２１８と同一平面上にある中央部分を有しうる。
【００４４】
図示したように、各化粧室２１２及び２１４は、胴体２２６の両側の非常口ドア２２４につながる、（例えば２つのスウェプト出口経路間のエリア等の）一又は複数の出口経路２２２の未使用部分に延在する出口導流部２２０を含む。例えば、出口導流部２２０は、出口経路（複数可）２２２の未使用通路部分に延在しうる。図示したように、各出口導流部２２０は、前方壁２２８の少なくとも一部、分割壁２１６に対して垂直な底辺２２９、及び底辺２２９と交差する分割壁２１６のセグメントである側面２３１によって画定される斜辺を有するエッジの滑らかな直角三角形として成形されうる。一般に、底辺２２９は、前述の、周知の後方セクションのモニュメントの外側前壁の境界を示す直線部分である。出口導流部２２０には、鋭角というよりもむしろ審美的に心地よい曲線が含まれ得る（そうでなければ客室の残りの内装と釣り合わない）。出口導流部２２０により、非常口へより迅速に、より直感的に動きやすくなる。
【００４５】
出口導流部２２０は、出口経路（複数可）２２２のいかなる部分も妨げない。代わりに、出口導流部２２０は突出すように延在し、各非常口に向かって延在する（例えば道路上のフォークと同様の）出口経路（複数可）２２２の２つのスウェプト部分の間の自然なＶ字状エリアが活用される。出口導流部２２０が出口経路（複数可）２２２の未使用部分に延在することを示すことによって、出口導流部２２０が、出口経路（複数可）２２２の合法的に指示されたサイズ、形状、又はその他上記の態様のいかなる部分も、決して妨げる、またその中へ延在する、又はその他のやり方で妨げることはないことを理解すべきである。
【００４６】
図示したように、前方壁２２８は、客室２０４内で後方休憩エリアアセンブリ２００を座席エリアから分離する、後方休憩エリアアセンブリ２００の分離前壁２３０に対して角度をなしている。前壁２３０が、固定された固体の壁、柔軟な区切り等であってよいことを理解すべきである。図示したように、前方壁２２８は、分割壁２１６から前壁２３０に対して後方へ引っ込んでいる。つまり、分割壁２１６の中央先端部（つまり、分割壁２１６の中央と、最前方エッジ）から始まる前方壁２２８は、胴体壁２２８により近く延在するにつれ、後方へ引っ込んでいる。前壁２３０は、中央縦断面２１８に対して垂直である。前壁２３０の中央を通り、内部客室２０４の通路２３４につながる開口部２３２が形成される。内部客室２０４内の通路の数によって、前壁２３０を通る更に多い又は少ない開口部が形成されうる。例えば分割壁２１６の中央先端部等の出口導流部２２０の一部を湾曲させ滑らかなものとして、客室２０４の内装と途切れなく調和させることができることを理解すべきである。すなわち、先端部として説明したが、出口導流部２２０には例えば鋭角のエッジは含まれ得ない。
【００４７】
通路２３４の中央は、中央縦断面２１８を中心として配置されうる。更に、通路２３４の中央は、分割壁２１６に合わせて位置調整することができ、分割壁２１６も中央縦断面２１８を中心として中央に配置される。このように、化粧室セクション２０６は通路２３４に合わせて位置調整される。通路２３４を化粧室セクション２０６に合わせて同軸上に位置調整することで、乗客の化粧室２１２及び２１４へのアクセスと流れが改善され、通路２３４での乗客の混雑が軽減される。
【００４８】
各前方壁２２８は、分割壁２１６から後方に離れるように角度をなしている。従って、各前方壁２２８は、分割壁２１６に対して角度Φを形成する。角度Φは９０°未満である。図示したように、角度Φは４５°〜６０°であってよいが、角度Φは更に大きい（しかし９０°未満であること）、又は更に小さいものであってよい。このように、分割壁２１６の前方エッジ２３３は、化粧室セクション２０６が内部客室２０４の客室２４０に向かって延在する最も遠い点であるピーク又は先端部を形成する。こうすれば、緊急の状況において、前方壁２２８の後方へ角度をなした面により、乗客が自動的に非常口ドア２２４へ導かれる。同時に、後方へ角度をなした前方壁２２８により、前方壁２２８が前壁２３０に平行であった場合よりも大きい内部化粧室空間２５０が提供される。従って、後方へ角度をなした前方壁２２８により、（出口導流部のエリアが、例えば２つの出口経路間のデッドスペース等の出口経路２２２の未使用部分内の単なるデッドスペースであった場合とは対照的に）化粧室のためにより広い空間が利用される。
【００４９】
あるいは、出口導流部２２０には三角形の形状が含まれなくてもよい。代わりに、出口導流部を例えば、前方にたわんだ又は湾曲した形にすることができる。またあるいは、後方休憩エリアアセンブリ２００には、出口導流部が含まれていなくてもよい。代わりに、化粧室の前方壁は、前壁２３０に平行するものであってもよい。
【００５０】
各前方壁２２８には、分割壁２１６から間隔を置いて位置づけされた端部２５２が含まれ得る。端部２５２は、側面境界壁２５４の角度をなしたセグメント２５３に直角につながり、これにより、内部化粧室空間２５０が拡張される。側面境界壁２５４は、分割壁２１６に対して角度をなしている（つまり、平行ではない）。側面境界壁２５４は、角度をなしたセグメント２５３の反対端部につながっている後部セグメント２５５も含む。後部セグメント２５５は、分割壁２１６に対して平行であってよい。
【００５１】
後部セグメント２５５は、後壁２５６を介して分割壁２１６につながっており、後壁２５６は、分割壁２１６と後部セグメント２５５に対して垂直であってよい。図示したように、各内部化粧室空間２５０は、前方壁２２８、側面境界壁２５４、後壁２５６、及び分割壁２１６によって画定される。各化粧室空間２５０の前方エリアは、例えば前方壁２２８が角度をなしているため、後方エリアに対して広く拡張されている。化粧室空間２５０内の拡張エリアにより、人が動くことができる拡張されたエリアが提供され、これにより、更に居心地のよい空間が得られる。
【００５２】
荷物保管エリア２６０は、各後壁２５６の裏側に位置づけされうる。各荷物保管エリア２６０は、後壁２５６の裏面、分割壁２１６、側面壁２６２、分割壁２１６によって画定されるピーク２７０からそれぞれの側面壁２６２の方へ前方に角度をなす、角度付き後壁２６４によって画定されうる。例えばドーム状の圧力隔壁に対応するために、後壁２６４が角度をなしていてよい。荷物保管エリア２６０は、ドーム状の圧力隔壁と互いに隣接させ、分割壁２１６によって分離することにより、活用できるようにしたものである。このように、荷物保管エリア２６０は、一般に客室２０４の中央縦断面２１８にある、ドーム状の圧力隔壁の内の最も高い又は最も深い内部エリアに近接するインボード部を有する。各荷物保管エリア２６０は、例えば鏡によって覆われうる前面を有しうる。各荷物保管エリア２６０には、例えば航空機搭乗員によってロックされうる、又はアクセス可能でありうるアクセスドアが含まれうる。あるいは、後方休憩エリアアセンブリ２００には、荷物保管エリア２６０は含まれていなくてもよい。
【００５３】
図示したように、各化粧室２１２及び２１４には、トイレ２８０とシンク２８２が含まれうる。トイレ２８０は後壁２５６に近接していてよい。シンク２８２は、前方壁２２８と、側面境界壁２５４との接点に近接して位置づけされうる。あるいは、トイレ２８０とシンク２８２は、化粧室空間２５０内の他の様々なエリアに位置づけされうる。
【００５４】
各ギャレーステーション２０８及び２１０は、側面境界壁２５４の外面と、後壁２５６の同一平面上にある後壁２９０と、遷移セグメント２９８を通して前部セグメント２９６とつながる後部セグメント２９４を有するアウトボード壁２９２とによって画定されうる。後部セグメント２９４及び前部セグメント２９６は、分割壁２１６と平行しうる。遷移セグメント２９８は、分割壁２１６に対して垂直であり、後部及び前部セグメント２９４及び２９６に対して直角につながりうる。
【００５５】
各ギャレーステーション２０８及び２１０には、側面境界壁２５４、後壁２９０及びアウトボード壁２９２によって画定されるカート収納棚３００が含まれうる。カート収納棚３００は、その中にカート３０２をしっかり保持するように構成される。図示したように、カート３０２を、分割壁２１６に対して角度をなして保管することができる。例えば、カート３０２を、側面境界壁２５４の角度をなしたセグメント２５３に対して平行する角度で保管することができる。各カート３０２はまず、例えば非常口ドア２２４の内向きに延在する部分と当接しないように、角度をなしたセグメント２５３に平行する方向３０４に取り外し、次に分割壁２１６に対して平行する最終的な取り外し方向に回すことができる。あるいは、カート３０２を矢印３０４の方向に完全に取り外すことができる。また、代替的に、カート３０２を、分割壁２１６に対して平行する向きに保管することができる。例えば、各カート３０２を、アウトボード壁がアウトボード壁２９２の内面に対して同一平面になるように保管することができる。
【００５６】
後方休憩エリアアセンブリ２００はまた、各ギャレーステーション２０８及び２１０と、前壁２３０との間にそれぞれ、乗務員休憩エリア３１０及び３１２も含む。（内部客室２０４内の壁及び／又は天井に固定されたカーテントラック又はブラケットに移動可能に接続された）カーテン３１４を、乗務員休憩エリア３１０、３１２と、化粧室セクション２０６を通路２３４につなげるエリアとの間に位置決めすることができる。各乗務員休憩エリア３１０及び３１２には、前壁２３０に接続された一又は複数の乗務員席３２０が含まれうる。
【００５７】
図示したように、各化粧室２１２、２１４の前方壁２２８はドア３４０を含む。ドア３４０は、円弧３４２の方向に分割壁２１６から離れるように旋回して開くように構成される。各ドア３４０の外側に開く限界は、カーテン３１４まで延在しない範囲である。従って、ドア３４０は、乗務員休憩エリア３１０及び３１２まで延在することが出来ないようになっていてよい。更に、図示したように、ドア３４０は、最も大きく開いた延在点においても、乗務員席３２０と接触しない。従って、乗務員は、化粧室２１２及び２１４を出入りする乗客を妨げることなく、乗務員席３２０の１つに座ることができる。実際に乗務員は、カーテンを閉めて、乗客を見る、又は乗客に見られることなく、乗務員休憩エリア３１０及び３１２内で休むことができる。図示した乗務員休憩エリア３１０及び３１２は２つの乗務員席３２０を有するが、各乗務員休憩エリア３１０及び３１２には、図示したよりも多くの、又は少ない乗務員席３２０が含まれうる。
【００５８】
後方休憩エリアアセンブリ２００は、客室の中央縦断面２１８を中心として対称でありうる。各化粧室２１２及び２１４は、他方の鏡像でありうる。更に、各ギャレーステーション２０８及び２１０は、他方の鏡像でありうる。また、各乗務員休憩エリア３１０及び３１２は、他方の鏡像でありうる。上述したように、後方休憩エリアアセンブリ２００は、化粧室２１２、２１４、ギャレーステーション２０８、２１０、及び／又は乗務員休憩エリア３１０、３１２用に指定されたエリアに対して、中央縦断面２１８を中心として対称でありうる。分割壁２１６は、後方休憩エリアアセンブリ２００を、互いの鏡像である２つの等しい半分に二等分することができる。鏡像は、後方休憩エリアアセンブリ２００の壁によって画定される実際の面積又は設置面積に対するものである。例えば、化粧室２１２及び２１４は、一方の化粧室２１２は男性用便器を含み、他方の化粧室２１４は男性用便器を含まない等、異なる構成要素を含むことができる。しかしながら、上記化粧室に異なる構成要素が存在することが必ずしも、化粧室が非対称であることを意味するわけではない。それどころか、化粧室２１２及び２１４の壁によって画定される内部面積又は設置面積はやはり対称である。
【００５９】
あるいは、後方休憩エリアアセンブリ２００の特定部分は対称ではない場合がある。例えば、化粧室の内の１つは、他の化粧室とは異なるサイズと形状の内部空間を有しうる。
【００６０】
図５に、本発明の一実施形態による、後方休憩エリアアセンブリ５００の正面斜視図を示す。後方休憩エリアアセンブリ５００は、特定の位置へ交互に固定されるように構成される一又は複数の休憩エリアモジュールを含む。例えば、後方休憩エリアアセンブリ５００には、化粧室受容部５０４に固定されるように構成される化粧室モジュール５０２が含まれうる。化粧室モジュール５０２には、底部５０６に接続された一又は複数の壁５０３が含まれ、これにより内部空間５０８が画定されうる。案内桁５１０は底部５０６から下方向へ延在し、化粧室受容部５０４の案内トラック５１２内に滑動可能に保持されるように構成される。このように、化粧室モジュール５０２を化粧室受容部５０４に挿入可能である。オプションとして、休憩エリアアセンブリ５００は、案内トラック内に保持されるように構成される案内桁が含まれなくてもよい。
【００６１】
異なる構成要素を有する様々な化粧室モジュール５０２を形成することができる。このように、製造者は所望の特徴に基づいて、相互の化粧室受容部に特定の化粧室モジュールを挿入することができる。案内桁５１０は案内トラック５１２へ滑動して、締付け構造、例えばラッチ、スナップ、キャッチ等を固定係合させて、化粧室モジュール５０２を適所に固定することができる。ファスナを使用して、化粧室モジュール５０２を適所に固定するように留めることもできる。
【００６２】
後方休憩エリアアセンブリの各セクションには、モジュール構成要素が含まれうる。例えば、ギャレーモジュール５２０及び５２２を選択的に挿入して、相互のギャレー受容部から取り外すことができる。各モジュール５２０及び５２２には、同じ又は異なる構成要素が含まれうる。
【００６３】
モジュールにより、様々な部分及び構成要素の互換性が可能になる。オプションとして、各モジュールには、様々な構成要素を選択的に挿入し取り外すことを可能にする様々なインターフェースが含まれうる。例えば、分離し区別されたモジュールの代わりに、後方休憩エリアアセンブリには、様々な構成要素、例えばシンク、くず入れ、トイレ、男性用便器等の選択的位置決め及び／又は取り外しを可能にする様々なインターフェース及び／又は連結器が含まれうる。
【００６４】
本発明の全ての実施形態において、互換性モジュールを用いることができる。更に、本発明の全ての実施形態においては、内部空間内で互換性構成要素を用いることができる。
【００６５】
図６に、本発明の一実施形態による、後方休憩エリアアセンブリの化粧室セクション６００の上から見た単純な内部図を示す。化粧室セクション６００は、分割壁６０２が固定された壁セグメント６０６と旋回可能な壁セグメント６０８との間に旋回カラム６０４を含みうる以外には、上述したものと同様である。旋回可能な壁セグメント６０８を化粧室６１０又は６１２に旋回させて、２つの化粧室を、可動性が低下した人が居心地よく使用できる拡張された単一の化粧室に転換することができる。例えば、旋回可能な壁セグメント６０８を後壁６２０に対して平行になるように旋回させることによって、拡張された空間を提供することができる。あるいは、他の様々な移動可能な壁部分を使用することができる。図６に対して図示し説明した移動可能な壁を、本願の任意の実施形態と共に使用して、隣接する化粧室を拡張された単一の化粧室に転換させることができる。
【００６６】
図７に、本発明の一実施形態による、後方休憩エリアアセンブリの化粧室セクションの分割壁７００の上から見た単純な内部図を示す。分割壁７００を、拡張位置と縮小位置との間で移動させることができる。分割壁７００を、図示したようにアコーディオンと同様に縮小させて、拡張された単一の化粧室を形成することができる。あるいは、分割壁７００は、例えば２つ折りの壁であってよい。留意すべきは、図７について図示し説明した実施形態を、本発明の任意の実施形態と共に使用することができることである。
【００６７】
加えて、分割壁が、化粧室が分離された第１の位置と、２つの化粧室が拡張された化粧室に転換される第２の位置との間で移動することができる場合、サインを化粧室のドア（複数可）の上に又はこれに近接して上記の機能を示すことができる。例えば、サインは乗客に、化粧室セクションを拡張された単一の化粧室に転換させるために客室乗務員に援助を求めるように指示することができる。
【００６８】
図８に、本発明の一実施形態による、航空機の内部客室８０４の後方セクション８０２内の後方休憩エリアアセンブリ８００を上から見た内部図を示す。後方休憩エリアアセンブリ８００は、図示した後方休憩エリアアセンブリ８００が平坦な圧力隔壁の後方セクション内にある以外は、図４の後方休憩エリアアセンブリ２００と同様のものである。従って、化粧室セクション８０８内の荷物保管エリア８０６は深く、箱の形のものであってよい。また、各ギャレーステーション８１０及び８１２を更に後方へ延在させて、追加のカート８１４及び８１６を収納することができてもよい。
【００６９】
図９に、本発明の一実施形態による、航空機の内部客室９０４の後方セクション９０２内の後方休憩エリアアセンブリ９００を上から見た内部図を示す。後方休憩エリアアセンブリ９００は、図示した後方休憩エリアアセンブリ９００が化粧室９１０とは異なる構成の化粧室９０８を有する化粧室セクション９０６を含む以外は、図４の後方休憩エリアアセンブリ２００と同様のものである。例えば、化粧室９０８は男性用便器９１３を含むが、化粧室９１０はトイレ９１２を含む。更に、化粧室９０８内の荷物保管エリア９１４は、男性用便器が占める空間がトイレ９１２よりも小さいため、化粧室９１０内の荷物保管エリア９１６よりも大きくすることができる。
【００７０】
図示したように、化粧室９０８及び９１０は異なる構成で、異なる構成要素を含むが、化粧室９０８が占める空間（例えば設置面積）はやはり化粧室９１０が占める空間の鏡像である。図示したように、後方休憩エリアアセンブリ９００の第１の半分９２０の面積は、後方休憩エリアアセンブリ９００の第２の半分９２２の面積の鏡像である。手短に言えば、後方休憩エリアアセンブリ９００の外側寸法は、客室９０４の中央縦断面９３０に対して対称である。第１の半分９２０の外側寸法は、第２の半分９２２の外側寸法を映したものである。
【００７１】
化粧室９０８の内の１つがトイレではなく男性用便器９１３を含む場合、化粧室９０８のドアのサインは適切な表示を提供しうる。例えば、化粧室９０８のドアには、「男性」又は「男性用便器のみ」と表示することができる。
【００７２】
図１０に、本発明の一実施形態による、航空機の内部客室１００４の後方セクション１００２内の後方休憩エリアアセンブリ１０００を上から見た内部図を示す。後方休憩エリアアセンブリ１０００は、図示した化粧室１００６が前方壁１０１０と側面境界壁１０１２との接合部に近接する男性用便器１００８を含むことができ、シンク１０１６とゴミ箱１０１８が後壁１０２０に近接しうる以外は、図９の後方休憩エリアアセンブリ９００と同様のものである。ここでも、各化粧室には、異なるエリアに異なる構成要素が含まれうる。構成要素は、インターフェース、連結器、及び／又は接続金具に選択的に接続し、また取り外すことができる。更に、上述したように、各後方休憩エリアアセンブリを、互換性モジュールを選択的に受け入れ保持するように構成することができる。
【００７３】
図１１に、本発明の一実施形態による、航空機の内部客室１１０４の後方セクション１１０２内の後方休憩エリアアセンブリ１１００を上から見た内部図を示す。後方休憩エリアアセンブリ１１００は、化粧室１１０６が後壁１１２０に近接するシンク１１１６とゴミ箱１１１８の前に折り畳み式／引き出し式男性用便器モジュール１１０８を含みうる以外は、図１０の後方休憩エリアアセンブリ１０００と同様のものである。男性用便器モジュール１１０８を、手で、足で、タッチフリー駆動デバイス等によって延長及び引込位置の間で移動させることができる。トイレが化粧室１１０６内にないため、必要とされる内部空間は小さい。このため、境界壁１１２２は、分割壁１１２４に対して平行していてよい。このため、ギャレーステーション１１３０を、分割壁１１２４に対して平行するように配向させることができる。ギャレーステーションには、分割壁１１２４に対して平行の又は垂直のまっすぐな直線的外壁が含まれうる。カート収納棚１１４２内に保管されるカート１１４０は、分割壁１１２４に平行する方向１１４４に取り外すように構成される。更に、追加の収納棚１１５０をカート収納棚１１４２に隣接させることができる。
【００７４】
図示したように、後方休憩エリアアセンブリ１１００は、客室１１０４の中央縦断面１１７０に対して対称ではない。それどころか、第１の半分１１８０の一又は複数の部分の設置面積は、第２の半分１１８２の一又は複数の部分の設置面積を映しえない。それにも関わらず、分割壁１１２４を、中央縦断面１１７０を中心として中央に配置することができる。実際に、本発明の各実施形態により、航空機の内部客室の中央縦断面を中心として中央に配置された後方休憩エリアアセンブリが提供されうる。
【００７５】
各化粧室には、異なるエリアに異なる構成要素が含まれうる。構成要素を、インターフェース、連結器、及び／又は接続金具に選択的に接続させ、また取り外すことができる。更に、上述したように、各後方休憩エリアアセンブリを、互換性モジュールを選択的に受入れ保持するように構成することができる。
【００７６】
更に、本発明は下記の条項による実施形態を含む。
【００７７】
条項１  航空機の内部客室の後方セクション内の後方休憩エリアアセンブリであって、
少なくとも１つの化粧室を含む化粧室セクションと、内部客室の一又は複数の出口経路の未使用部へ突出して延在している出口導流部とを備え、一又は複数の出口経路は、少なくとも１つの非常口ドアにつながっている、後方休憩エリアアセンブリ。
【００７８】
条項２  内部客室内で後方休憩エリアアセンブリを座席エリアから分離している前壁を更に備え、出口導流部が、中央先端部においてつながっている第１と第２の前方壁を備え、第１と第２の前方壁がそれぞれ、中央先端部から前壁に対して後方へ引っ込んでいる、条項１に記載の後方休憩エリアアセンブリ。
【００７９】
条項３  化粧室セクションの第１のアウトボード側に位置決めされた第１のギャレーステーションと、化粧室の第２のアウトボード側に位置決めされた第２のギャレーステーションとを更に備え、第１のアウトボード側は、第２のアウトボード側の反対にあり、第１のギャレーステーションは、化粧室セクションによって第２のギャレーステーションから分離されている、後方休憩エリアアセンブリ。
【００８０】
条項４  第１のギャレーステーションは、第１の移動式カートを取り外し可能に保持するように構成された第１のカート収納棚を備え、第２のギャレーステーションは、第２の移動式カートを取り外し可能に保持するように構成された第２のカート収納棚を備える、条項３に記載の後方休憩エリアアセンブリ。
【００８１】
条項５  第１と第２の乗務員休憩エリアを更に備え、第１の乗務員休憩エリアは第１のギャレーステーションに近接しており、第２の乗務員休憩エリアは、第２のギャレーステーションに近接している、条項３に記載の後方休憩エリアアセンブリ。
【００８２】
条項６  乗務員休憩エリアは、可動カーテンと、少なくとも１つの乗務員席を備え、少なくとも１つの乗務員席は、化粧室セクションの部分にぶつからない、条項５に記載の後方休憩エリアアセンブリ。
【００８３】
条項７  化粧室セクションは、分割壁によって分離されている第１と第２の化粧室を含む、条項１に記載の後方休憩エリアアセンブリ。
【００８４】
条項８  分割壁は、少なくとも１つの可動部を含み、少なくとも１つの可動部は、分割壁によって第１と第２の化粧室が分離されている第１の位置と、第１と第２の化粧室が結合されて、拡張された単一の化粧室を形成している第２の位置との間で移動可能である、条項７に記載の後方休憩エリアアセンブリ。
【００８５】
条項９  第１と第２の化粧室はそれぞれ、前方及び後方エリアを備え、前方エリアはそれぞれ、後方エリアよりも広い、条項７に記載の後方休憩エリアアセンブリ。
【００８６】
条項１０  分割壁は、内部客室の中央縦断面を中心として中央に配置されている、条項７に記載の後方休憩エリアアセンブリ。
【００８７】
条項１１  分割壁は、内部客室の通路に対して中央に配置されている、条項７に記載の後方休憩エリアアセンブリ。
【００８８】
条項１２  分割壁は、後方休憩エリアアセンブリを第１の半分と第２の半分に分割し、第１の半分は第２の半分の鏡像である、条項７に記載の後方休憩エリアアセンブリ。
【００８９】
条項１３  後方休憩エリアアセンブリは、内部客室の中央縦断面に対して対称である、条項１に記載の後方休憩エリアアセンブリ。
【００９０】
条項１４  後方セクションは、内部客室内の最後の座席列の裏側にある、条項１に記載の後方休憩エリアアセンブリ。
【００９１】
条項１５  化粧室セクションは、少なくとも１つの荷物保管エリアを含む、条項１に記載の後方休憩エリアアセンブリ。
【００９２】
条項１６  化粧室セクションは、一又は複数の化粧室モジュールを受け入れ、保持するように構成された一又は複数の化粧室受容部を備える、条項１に記載の後方休憩エリアアセンブリ。
【００９３】
条項１７  少なくとも１つの化粧室を含む化粧室セクションと、化粧室セクションの第１のアウトボード側に位置決めされた第１のギャレーステーションと、化粧室の第２のアウトボード側に位置決めされた第２のギャレーステーションとを備え、第１のアウトボード側は第２のアウトボード側の反対にあり、第１のギャレーステーションは、化粧室セクションによって第２のギャレーステーションから分離されている、航空機の内部客室の後方セクション内の後方休憩エリアアセンブリ。
【００９４】
条項１８  第１と第２の乗務員休憩エリアを更に備え、第１の乗務員休憩エリアは第１のギャレーステーションに近接しており、第２の乗務員休憩エリアは第２のギャレーステーションに近接している、条項１７に記載の後方休憩エリアアセンブリ。
【００９５】
条項１９  航空機であって、操縦席を含む内部客室と、複数の乗客席と、少なくとも１つの乗務員ワークステーションとを有するメインキャビンと、メインキャビンの裏側の後方セクションとを備え、後方セクションは、少なくとも１つの非常口ドアにつながっている一又は複数の出口経路と、後方セクション内の後方休憩エリアアセンブリとを含み、後方休憩エリアアセンブリは、
（ａ）内部客室の中央縦断面を中心として中央に配置された分割壁によって分離された第１と第２の化粧室と、（ｂ）少なくとも１つの荷物保管エリアとを含む化粧室セクションを含み、第１と第２の化粧室は、前方及び後方エリアを含み、各前方エリアは後方エリアよりも広く、第１と第２の化粧室は、一又は複数の出口経路の未使用部分へ突出して延在する出口導流部を提供しており、後方休憩エリアアセンブリは、化粧室セクションの第１のアウトボード側に位置決めされた第１のギャレーステーションを含み、第１のギャレーステーションは、第１の移動式カートを取り外し可能に保持するように構成された第１のカート収容棚を含み、後方休憩エリアアセンブリは、化粧室の第２のアウトボード側に位置決めされた第２のギャレーステーションを含み、第２のギャレーステーションは、第２の移動式カートを取り外し可能に保持するように構成された第２のカート収納棚を含み、第１のアウトボード側は第２のアウトボード側の反対にあり、第１のギャレーステーションは、化粧室セクションによって第２のギャレーステーションから分離されており、
後方休憩エリアアセンブリは、第１のギャレーステーションに近接する第１の乗務員休憩エリアと、第２のギャレーステーションに近接している第２の乗務員休憩エリアとを含み、第１と第２の乗務員休憩エリアはそれぞれ可動カーテンと、少なくとも１つの乗務員席を含み、少なくとも１つの乗務員席は化粧室セクションにぶつかることはなく、後方休憩エリアアセンブリは、メインキャビンから後方休憩エリアアセンブリを分離している前壁を含む。
【００９６】
条項２０  分割壁は、少なくとも１つの可動部を含み、少なくとも１つの可動部は、第１と第２の化粧室が分割壁によって分離されている第１の位置と、第１と第２の化粧室が結合されて、拡張された単一の化粧室を形成している第２の位置との間で移動可能である、条項１９に記載の航空機。
【００９７】
上述したように、本発明の実施形態は、航空機の後方セクション内の空間を効率的に用いる後方休憩エリアアセンブリを提供する。本発明の実施形態は、航空機に更に座席を設置することを可能にする後方休憩エリアアセンブリを提供する。
【００９８】
例えば、上部、底部、下方、中間、側方、水平、垂直、前等の様々な空間的及び方向的な語を使用して本発明の実施形態を説明することができるが、上記語は、単に図面に示す向きに対して使用されたものであることを理解すべきである。向きを、反転させる、回転させる、又はそうでなければ、上部が下部に、また下部が上部になるように、また水平が垂直になるように変化させることができる。
【００９９】
本明細書で使用する、タスク又は工程を実施する「ように構成される」構造、限定事項、又は要素は、特にタスク又は工程に対応する方法で構造的に形成、構成、又は適合されている。明確さのため、及び誤解を避けるために、タスク又は工程を実施するために変更可能であるに過ぎない対象物は、本明細書で使用するタスク又は工程を実施する「ように構成」されてはいない。
【０１００】
上記の説明は、限定ではなく例示を意図するものであることを、理解されたい。例えば、上述の実施形態（および／又はそれらの態様）は、互いに組み合わせて使用され得る。加えて、様々な実施形態の範囲から逸脱することなく、特定の状況又は材料に適応させるために、本発明の様々な実施形態の教示に多数の改変を加え得る。本明細書に記載された材料の寸法及び種類により、本発明の様々な実施形態のパラメータが画定されるが、これらの実施形態は決して限定的ではなく、例示の実施形態である。本発明を精査することにより、当業者には他の多くの実施形態が明らかであろう。本発明の様々な実施形態の範囲は、添付の特許請求の範囲、並びに、かかる特許請求の範囲が認められる同等物の全範囲を参照して、決定されるべきである。添付の特許請求の範囲において、「含む（ｉｎｃｌｕｄｉｎｇ）」および「そこにおいて（ｉｎ  ｗｈｉｃｈ）」という用語は、それぞれ、「備える（ｃｏｍｐｒｉｓｉｎｇ）」および「そこで（ｗｈｅｒｅｉｎ）」という用語の、明白な同義語として使用される。また、「第１」「第２」および「第３」等の用語は単に符号として使用され、それらの対象物に数的要件を課すことを意図するものではない。更に、以下の特許請求の範囲の限定は、ミーンズ・プラス・ファンクション書式で記述されておらず、かかる特許請求の範囲の限定が、「のための手段（ｍｅａｎｓ  ｆｏｒ）」という言い回しを明示的に使用し、更なる構造のない機能の記述がそれに続く限り、米国特許法第１１２条、段落（ｆ）に基づいて解釈するべきではない。
【０１０１】
ここに記載した説明では、ベストモードを含む本発明の様々な実施形態を開示し、且つ当業者が任意のデバイス又はシステムの作成及び使用、並びに組込まれた任意の方法の実行を含め、本発明の様々な実装態様を実施することを可能にするために実施例を使用している。本発明の様々な実施形態の特許性の範囲は、特許請求の範囲によって画定され、当業者が想起する他の実施例を含みうる。かかる他の実施例は、実施例が特許請求の範囲の文言と相違しない構造要素を有する場合、または、実施例が、特許請求の範囲の文言とごくわずかな相違しかない同等の構造要素を含む場合、特許請求の範囲内であることが意図される。
【図１】
0006761640.tif 000002
【図２Ａ】
0006761640.tif 000003
【図２Ｂ】
0006761640.tif 000004
【図３】
0006761640.tif 000005
【図４】
0006761640.tif 000006
【図５】
0006761640.tif 000007
【図６】
0006761640.tif 000008
【図７】
0006761640.tif 000009
【図８】
0006761640.tif 000010
【図９】
0006761640.tif 000011
【図１０】
0006761640.tif 000012
【図１１】
0006761640.tif 000013